(57)【要約】【課題】  画像の転送機能を持つ記録媒体が装着された場合に、無線ファイルアクセスの競合の回避、ノイズ混入の防止、電力消費の低減を達成しながら撮影動作を行う。【解決手段】  画像の転送機能を持つ記録媒体が装着された場合に、画像転送の通信制御を行う転送制御手段を備える撮像装置において、レリーズボタンを押下して撮像動作が開始されると、画像の転送を停止する指示を行い、撮像が開始される前に転送停止処理が完了したことを確認した後、撮像処理を行い、画像の保存が完了した後転送を再開することを特徴とする構成とした。【選択図】  図４
2011130036.tif 000002
【特許請求の範囲】
【請求項１】
画像を転送する機能を持つ記憶媒体が装着された場合に、転送を制御する制御手段を備える撮像装置において、
レリーズボタンを押下して撮像が開始されると、画像の転送を停止する指示を行い、撮像が開始される前に転送の停止が完了したことを確認した後に撮像を行い、該撮像により得られた画像の保存が完了した後、転送を再開することを特徴とする撮像装置。
【請求項２】
撮影処理が完了してから一定の時間、撮像に関わる操作がない場合、通信に関する機能を有効にすることを特徴とする請求項１に記載の撮像装置。
【請求項３】
撮像の動作中に通信に関する機能を無効にできない場合、メッセージを表示する表示手段をさらに有する請求項１に記載の撮像装置。
【請求項４】
通信に関する機能を無効にできない場合において撮影をおこなった場合、画像の付属情報として通信に関する情報を記録することを特徴とする請求項１に記載の撮像装置。
【請求項５】
画像を再生した場合において、通信に関する機能を無効にできず撮影された画像には、その旨を示す情報を表示する表示手段をさらに有する請求項１に記載の撮像装置。
【発明の詳細な説明】
【技術分野】
【０００１】
本発明は、ファイルを記録したときにそのファイルの転送処理を自動的に行う記録媒体が撮像装置に接続されたときの、撮像制御装置およびその制御方法に関する。
【背景技術】
【０００２】
従来のデジタルスチルカメラ（以下、デジタルカメラという）で撮影した画像ファイルは、一般的に、保管することを目的としてパーソナルコンピュータ（以下、ＰＣという）に保存する。例えば、デジタルカメラやデジタルカメラに挿入していた記録メディアをＰＣに接続して画像ファイルを転送する。また、近年では、無線ＬＡＮ機能を内蔵したデジタルカメラや、無線ＬＡＮ機能を搭載した記録メディアが登場し、デジタルカメラの撮影動作によって保存された画像ファイルを即座にＰＣに転送することも可能となってきた。
【０００３】
しかしながら、以上のような装置においては、画像転送の即時性を優先させるために、撮影処理と転送処理が非同期に行われるものが多い。そのため、撮影行為による画像ファイルの保存処理と、画像ファイルの転送処理を排他する処理を行い、ファイルアクセスの競合を防止する手法が提案させている。
【０００４】
特許文献１では、記憶手段と転送手段と通信制御手段を備えた外部デバイスが接続された場合、画像保存中は通信制御手段により転送を一度中止させ、保存が完了した後転送を再開する電子カメラが開示されている。
【先行技術文献】
【特許文献】
【０００５】
【特許文献１】特開２００２−０９４９２５号公報
【発明の概要】
【発明が解決しようとする課題】
【０００６】
しかしながら、上記の課題以外にも、撮影処理と転送処理が非同期に行われた場合、無線装置の搬送波発信器から発せられる高周波ノイズがデジタルカメラの映像信号や音声信号にノイズとして混入される恐れがある。
【０００７】
また、デジタルカメラに搭載するバッテリーは小型であることが要求されるため供給電力には限りがある。撮像動作やズーム動作やストロボの充電動作など大電流が必要なカメラ動作を行っている最中に画像ファイルの転送動作が行われた場合、電力不十分により撮影動作や転送動作が正常に行われない恐れがある。
【課題を解決するための手段】
【０００８】
上記課題の少なくとも１つを解決するために、本発明に係る撮像装置は、画像の転送機能を持つ記録媒体が装着された場合に、画像転送の通信制御を行う転送制御手段を備える撮像装置において、
レリーズボタンを押下して撮像動作が開始されると、画像の転送を停止する指示を行い、撮像が開始される前に転送停止処理が完了したことを確認した後、撮像処理を行い、画像の保存が完了した後転送を再開することを特徴とする。
【発明の効果】
【０００９】
本発明によれば、ファイルアクセスの競合の回避、ノイズ混入の防止、電力消費のうち、少なくとも１つの低減を達成しながら撮影動作を行うことが可能となる。
【図面の簡単な説明】
【００１０】
【図１】本実施の形態に係るデジタルカメラの構成を示すブロック図である。
【図２】本実施の形態に係るデジタルカメラの処理手順を示すフローチャートである。
【図３】本実施の形態に係る画像ファイルのデータ構造を示す概念図である。
【図４】本実施の形態に係るデジタルカメラのユーザインターフェイスを示す図である。
【発明を実施するための形態】
【００１１】
＜第１の実施形態＞
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１２】
［デジタルカメラの構成］
以下の説明では、撮像装置がデジタルカメラである場合を例示して説明する。図１は、本実施形態に係るデジタルカメラ１００の構成を示すブロック図である。
【００１３】
図１に示すように、デジタルカメラ１００では、撮影レンズ１０１、絞り量を調節する機能を備えるシャッター１０２を通して撮像素子１０３に光学像が結像される。撮像素子１０３は、結像された光学像を電気信号に変換し、アナログ信号を出力する。なお、撮像素子１０３としてはＣＣＤやＣＭＯＳイメージセンサ等、周知の素子を用いてよい。Ａ／Ｄ変換器１０４は、撮像素子１０３から出力されたアナログ信号をデジタルデータに変換する。
【００１４】
タイミング発生部１０５は、メモリ制御部１０６及び中央制御部１０７により制御され、撮像素子１０３、Ａ／Ｄ変換器１０４、Ｄ／Ａ変換器１０８にクロック信号や制御信号を供給する。画像処理部１０９は、Ａ／Ｄ変換器１０４からのデジタルデータ或いはメモリ制御部１０６から供給されたデータに対して所定の画素補間処理や色変換処理を行う。また、画像処理部１０９は、撮像した画像データを用いて所定の演算処理を行い、この演算結果を中央制御部１０７に供給する。また、画像処理部１０９は、撮像した画像データを用いて所定の演算処理を行い、得られた演算結果に基づいてＴＴＬ（スルー・ザ・レンズ）方式のＡＷＢ（オートホワイトバランス）処理を実現する。
【００１５】
中央制御部１０７は、画像処理部１０９で得られた演算結果に基づいて、Ａ／Ｄ変換器１０４のレンズ位置やシャッター１０２の絞り量を制御することで、ＴＴＬ方式のＡＦ（オートフォーカス）や、ＡＥ（自動露光調整）を行う。同様に、中央制御部１０７は、画像処理部１０９で得られた演算結果に基づいて、フラッシュ１１４を制御することでＴＴＬ方式のＥＦ（フラッシュプリ発光）処理を実現する。
【００１６】
メモリ制御部１０６は、Ａ／Ｄ変換器１０４、タイミング発生部１０５、画像処理部１０９、Ｄ／Ａ変換器１０８、メモリ１１０、圧縮／伸長部１１１等を制御する。Ａ／Ｄ変換器１０４からのデジタルデータは、画像処理部１０９とメモリ制御部１０６を介して、或いは直接メモリ制御部１０６を介して、メモリ１１０（或いは別途設けられた画像表示メモリ）に画像データとして書き込まれる。
【００１７】
メモリ１１０に書き込まれた画像データは、Ｄ／Ａ変換器１０８を介して画像表示部１１２により表示される。画像表示部１１２は、例えばＴＦＴを用いたＬＣＤなどから構成される。なお、デジタルカメラ１００では、撮像した画像データを画像表示部１１２から逐次表示すれば、ＥＶＦ（電子ビューファインダ）機能を実現することが可能である。また、画像表示部１１２は、中央制御部１０７の指示により表示をＯＮ／ＯＦＦすることが可能である。画像表示部１１２の表示をＯＦＦにした場合には、デジタルカメラ１００の電力消費量を大幅に低減することが可能となる。従って、ユーザが光学ファインダ１１３を用いて撮税を行う際には、操作部１２０の操作指示により表示をＯＦＦにすることで、省電力を図ることが可能となる。
【００１８】
メモリ１１０には、撮影により取得した静止画像データや動画像データが格納される。メモリ１１０は、所定枚数の静止画像データや所定時間の動画像データを格納するのに十分な記憶容量を備えている。これにより、デジタルカメラ１００は、複数枚の静止画像を連続して撮像する連写撮影やパノラマ撮影の場合でも、高速かつ大量の画像データの書き込みをメモリ１１０に対して行うことが可能となる。また、メモリ１１０は、中央制御部１０７の作業領域としても使用される。
【００１９】
圧縮／伸長部１１１は、ＡＤＣＴ（適応離散コサイン変換）等により画像データの圧縮（データの符号化）又は画像データの伸長（データの復号化）を行う。例えば、圧縮／伸長部１１１は、メモリ１１０格納された画像データを読み込んで圧縮処理又は伸長処理を行い、処理後のデータをメモリ１１０に書き込む。
【００２０】
音声制御部１３５は、中央制御部１０７の制御の下、Ｄ／Ａ変換器１０８によりアナログ信号に変換された音声データを受け付けて、増幅回路（特に図示しない）を介したスピーカ１３６からの音声出力を制御する。また、音声制御部１３５は、中央制御部１０７の制御の下、マイク１３７から出力されたアナログ信号の音声データの増幅回路を介した後にＡ／Ｄ変換器１０４へ出力する音声入力を制御する。
【００２１】
不図示の露光制御部は、中央制御部１０７の制御の下、シャッター１０２を制御する。例えば、露光制御部は、フラッシュ１１４と連携してシャッター１０２を制御することで、フラッシュ調光を行う。不図示の測距制御部は、中央制御部１０７の制御の下、撮影レンズ１０１のフォーカシングを制御する。具体的には、測距制御部は、撮影レンズ１０１におけるフォーカスレンズのレンズ位置に関する駆動制御を行う。例えば、ＴＴＬ方式を用いる場合は、撮像した画像データを画像処理部１０９で演算した演算結果に基づいて中央制御部１０７が露光制御部、測距制御部を制御する。不図示のズーム制御部は、中央制御部１０７の制御の下、撮影レンズ１０１のズーミングを制御する。具体的には、ズーム制御部は、撮影レンズ１０１におけるズームレンズのレンズ位置に関する駆動制御を行う。不図示のバリア制御部は、中央制御部１０７の制御の下、覆い部材（バリア）により撮影レンズ１０１を保護するバリア１２８におけるバリアの開閉を制御する。
【００２２】
中央制御部１０７は、デジタルカメラ１００の全体を中央制御する。具体的には、中央制御部１０７は、システムメモリ１１５に記憶されたプログラムデータを読み出してメモリ１１０の作業領域に展開し、その展開したプログラムデータとの協働によりデジタルカメラ１００全体の動作を制御する。
【００２３】
光学ファインダ１１３は、撮影レンズ１０１と撮像素子１０３の間において撮像素子１０３での露出時に跳ね上げるられる鏡やペンタプリズムを用いて撮影レンズ１０１から入射される光をスクリーンに投射し、被写体像を光学的に表示する。デジタルカメラ１００では、光学ファインダ１１３を用いることで、画像表示部１１２による電子ファインダ機能を使用すること無しに撮影を行うことが可能である。また、光学ファインダ１１３内においては、前述した画像表示部１１２の一部が設けられる構成であってもよい。
【００２４】
フラッシュ１１４は、中央制御部１０７の制御の下で発光することで被写体に補助光を照射する。フラッシュ１１４は、ＡＦ時において被写体に補助光を照射する投光機能や被写体へ照射する光量の調整を行うフラッシュ調光機能などを有してもよい。
【００２５】
システムメモリ１１５は、中央制御部１０７の動作用の定数、変数、プログラムデータ等を記憶する。システムメモリ１１５はまた、ＡＥで用いるプログラム線図も格納している。なお、プログラム線図は、ＴＴＬ方式のＡＥ時になどに参照されるデータであり、画像処理部１０９で得られた演算結果（例えば輝度値）に対する絞り量やシャッター速度などの制御値が予め定義されたテーブルデータである。
【００２６】
デジタルカメラ１００では、中央制御部１０７でのプログラムデータの実行に応じて、画像表示部１１２や音声制御部１３５を中央制御部１０７が制御することで、文字、画像、音声等を用いて動作状態やメッセージ等をユーザに提示する。ユーザに提示する構成（画像表示部１１２やスピーカ１３６）は、例えばデジタルカメラ１００の操作部１２０近辺の視認しやすい位置に配置される。なお、画像表示部１１２の一部は光学ファインダ１１３内にも設置されており、一部の情報は光学ファインダ１１３内に設置された画像表示部１１２からも提示される。また、デジタルカメラ１００では、中央制御部１０７の制御の下、動作状態やメッセージ等を画像表示部１１２やスピーカ１３６からユーザに提示した後に、操作部１２０などからの操作を受け付ける。例えば、後述する外部機器から転送すべきデータを指定する場合には、データの指定を行う画面を画像表示部１１２に表示し、操作部１２０からユーザの指定を受け付けることで、指定手段としての機能を実現する。
【００２７】
画像表示部１１２の表示内容のうち、転送すべきデータの指定を行う画面以外にＬＣＤ等において表示するものとしては、撮像に関する動作状態と撮像以外の動作状態とがある。例えば、撮像に関する動作状態の表示としては、シングルショット／連写撮像表示、セルフタイマー表示、圧縮率表示、記録画素数表示、記録枚数表示、残撮影可能枚数表示、シャッタースピード表示、絞り値表示、露光補正表示などがある。さらに、フラッシュ表示、赤目緩和表示、マクロ撮影表示などを含んでもよい。撮像以外の動作状態の表示としては、ブザー設定表示、時計用電池残量表示、電池残量表示、エラー表示、複数桁の数字による情報表示、１９９の着脱状態表示、通信Ｉ／Ｆ動作表示、日付・時刻表示などがある。また、画像表示部１１２の表示内容のうち、光学ファインダ１１３内に表示するものとしては、合焦表示、手振れ警告表示、フラッシュ充電表示、シャッタースピード表示、絞り値表示、露光表示などがある。
【００２８】
不揮発性メモリ１１６は、電気的に消去・記録が可能なメモリであり、例えばＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等であってよい。
【００２９】
モード切替スイッチ１１７は、電源ＯＦＦ、自動撮影モード、撮影モード、パノラマ撮影モード、再生モード、マルチ画面再生・消去モード、ＰＣ接続モード等の各機能モードの切り替えをユーザが設定するためのスイッチである。
【００３０】
第１シャッタースイッチ１１８（ＳＷ１）は、不図示のシャッターボタンの操作途中（例えば半押し状態）でＯＮとなるスイッチである。第１シャッタースイッチ１１８のＯＮ入力により、中央制御部１０７は、ＡＦ、ＡＥ、ＡＷＢ、ＥＦなどの処理動作を開始する。
【００３１】
第２シャッタースイッチ１１９（ＳＷ２）は、シャッターボタンの操作完了（例えば全押し状態）でＯＮとなるスイッチである。第２シャッタースイッチ１１９のＯＮ入力により、中央制御部１０７は、撮影に関わる一連の動作、即ち、露光処理、現像処理、記録処理を実行する。露光処理では、撮像素子１０３から読み出した信号（アナログ信号）がＡ／Ｄ変換器１０４、メモリ制御部１０６を介してデジタルデータとしてメモリ１１０に書き込まれる。現像処理では、画像処理部１０９やメモリ制御部１０６がメモリ１１０に書き込まれたデジタルデータに対して画像処理を施し、その画像処理後のデジタルデータがメモリ１１０に書き込まれる。記録処理では、現像処理後にメモリ１１０に書き込まれたデジタルデータが読み出され、圧縮／伸長部１１１で圧縮された後に１９９に書き込まれる。
【００３２】
操作部１２０は、各種ボタンやタッチパネル等からなる。具体的には、各種設定メニューを表示させて設定を行うためのメニューボタン、メニュー移動ボタン、セットボタンなどがある。例えば、後述する外部機器から転送すべきデータを指定する場合には、複数の候補データの中からメニュー移動ボタンなどにより選択されて、セットボタンで指定されたデータが転送すべきデータとして指定される。また、撮像時における各種設定ボタンとしては、マクロボタン、フラッシュ設定ボタン、単写／連写／セルフタイマー切替ボタン、露出補正ボタン、撮影画質選択ボタンなどがある。また、撮像した画像の再生や出力すべき画像の選択設定を行うためのマルチ画面再生改ページボタン、再生画像移動ボタンや、日付などの設定を行うための日付／時間設定ボタンなどがある。
【００３３】
デジタルカメラ１００は、動画撮影の開始と終了の指示をユーザから受け付けるための動画ボタン１３８を備える。デジタルカメラ１００では、動画撮影されていない時に動画ボタン１３８が押下されると動画撮影開始となり、動画撮影中に動画ボタン１３８が押下されると動画撮影終了となる。また、デジタルカメラ１００は、動画撮影中の静止画撮影においてＷＢ（ホワイトバランス）の動作を設定するためのユーザインターフェイスを備えてもよい。なお、動画撮影中の静止画撮影時におけるＷＢの動作設定では、色再現性優先モード、動画優先モード、静止画優先モードの３種類のモードから１つを選択してもよい。
【００３４】
電源制御部１２１は、電池検出回路、ＤＣ−ＤＣコンバータ、通電するブロックを切り替えるスイッチ回路等（いずれも図示しない）により構成される。電源制御部１２１は、中央制御部１０７の制御の下、電池の接続やその出力電圧などの検出、デジタルカメラ１００の各部への電力供給の制御などを行う。コネクタ１２２、１２３は、電源制御部１２１と電源部１２４を接続する。電源部１２４は、アルカリ電池やリチウム電池等の一次電池やＮｉＣｄ電池やＮｉＭＨ電池、Ｌｉ電池等の二次電池、ＡＣアダプター等であり、デジタルカメラ１００へ電力を供給する。
【００３５】
Ｉ／Ｆ１２５は、コネクタ１２６を介して接続する１９９と内部バスとを通信可能に接続する。コネクタ１２６は、１９９と電気的且つ物理的に接続し、１９９とＩ／Ｆ１２５とを通信可能とするコネクタである。着脱検知部１２７は、コネクタ１２６と１９９との物理的な接続を検出するスイッチなどであり、１９９がコネクタ１２６に装着されているか否かを検出し、その検出信号を中央制御部１０７へ出力する。
【００３６】
なお、本実施形態では、１９９を取り付けるインターフェイス及びコネクタを１系統持つものとして説明している。もちろん、１９９を取り付けるインターフェイス及びコネクタは、単数或いは複数、いずれの系統数を備える構成としても構わない。また、異なる規格のインターフェイス及びコネクタを組み合わせて備える構成としても構わない。インターフェイス及びコネクタとしては、ＰＣＭＣＩＡカードやＣＦ（コンパクトフラッシュ（登録商標））カード等の規格に準拠したものを用いて構成しても構わない。更に、コネクタ１２６に通信カードを装着した場合は、他のコンピュータやプリンタなどの周辺機器との間で画像データや画像データに付属した管理情報を転送し合うことが可能となる。例えば通信カードの例としては、ＬＡＮカード、モデムカード、ＵＳＢカード、ＩＥＥＥ１３９４カード、Ｐ１２９４カード、ＳＣＳＩカード、ＰＨＳデータ通信カードなどが挙げられる。
【００３７】
バリア１２８は、デジタルカメラ１００の撮影レンズ１０１を含む撮像部を覆うことにより、撮像部の汚れや破損を防止する。
【００３８】
通信部１２９は、ＲＳ２３２Ｃ、ＵＳＢ、ＩＥＥＥ１３９４、Ｐ１２８４、ＳＣＳＩ、モデム、ＬＡＮ、無線通信などにより、外部機器との間でシリアル／パラレル通信によるデータの送受信を有線／無線で行う。コネクタ（アンテナ）１３０は、通信部１２９によりデジタルカメラ１００と他の機器（外部機器）とを、接続形態が有線であればコネクタで、無線であればアンテナで接続する。
【００３９】
ＲＴＣ１３４（Ｒｅａｌ  Ｔｉｍｅ  Ｃｌｏｃｋ）は、中央制御部１０７の制御の下、時刻情報を出力する。なお、ＲＴＣ１３４は、電源制御部１２１とは別に内部電源を保持し、電源部１２４から通電がない状態であっても、計時可能となっている。
【００４０】
１９９は、コネクタ１２６を介してデジタルカメラ１００への着脱が可能なメモリカード或いはハードディスクドライブ等である。１９９は、半導体メモリや磁気ディスク等から構成される記憶部１３１、記憶部１３１とのデジタルカメラ１００とのＩ／Ｆ１３２及びデジタルカメラ１００とコネクタ１２６を介して電気的且つ物理的に接続するためのコネクタ１３３を備えている。
【００４１】
なお、デジタルカメラ１００の中央制御部１０７は、１つのハードウエアで有っても良いし、複数のハードウエアから構成され、それらのハードウエアが協働して１つの中央制御部１０７としての機能を実現するものであってもよい。また、撮像素子１０３で撮像された画像データなど、外部装置へ供給に係るデータは、予め１９９の記憶部１３１に保存されているものとする。また、デジタルカメラ１００を制御するプログラムデータは、不揮発性メモリ１１６に記憶されており、実行されると共にメモリ１１０にプログラムデータが展開され、中央制御部１０７にて展開されたプログラムデータが実行される。中央制御部１０７でプログラムデータが実行されることで、デジタルカメラ１００では、記憶部１３１に保存された画像データがロードされて画像表示部１１２に再生表示される。また、デジタルカメラ１００では、記憶部１３１に保存された画像データを通信部１２９を介して接続する外部機器への供給、又は、外部機器から記憶部１３１へ指定した画像データの取得などが行われる。
【００４２】
本実施形態の説明では、静止画、動画の撮影が可能なデジタルカメラを採用したが、他にもデジタル一眼レフカメラやデジタルカムコーダなどであってもよい。
【００４３】
［無線ＬＡＮ機能付き記録メディアの構成について］
本実施の形態の撮像装置であるデジタルカメラ１００の１９９には、記憶媒体の一例である無線ＬＡＮ機能付き記録メディアが装着される。デジタルカメラ１００の撮影処理によって不図示の無線ＬＡＮ機能付き記録メディア内のフラッシュメモリに画像ファイルが保存されると、画像ファイルを無線ＬＡＮ機能で接続したＰＣなどのデータ取得装置に接続し、画像ファイルを転送する。
【００４４】
また、無線ＬＡＮ機能付き記録メディアは、デジタルカメラ１００から現在の通信状態を確認することが可能であり、無線通信の有効、無効を設定することが可能である。例えば、無線通信を有効にした場合、無線ＬＡＮ機能付き記録メディアとデータ取得装置との無線接続が確立され、無線ＬＡＮ機能付き記録メディアの画像からデータ取得装置へ画像ファイルの転送が行われる。無効にした場合、無線電波の発信を停止し、有効にするまで無線接続の確立、画像ファイルのデータ転送は行われない。
【００４５】
また、無線ＬＡＮ機能付き記録メディアは、不図示の記録メディア内のフラッシュメモリに保存された画像ファイルのうち、まだデータ送信先に送信されていない画像ファイルのみを転送する。
【００４６】
［画像ファイルのデータ構造について］
本実施の形態の画像再生手段にて用いる画像ファイルのデータ構造について説明する。本実施の形態では、画像ファイルの形式にＥｘｉｆ−ＪＰＥＧを用いるが、Ｅｘｉｆ−ＴＩＦＦなど、画像にメタデータが記録できるデータ構造になっている形式でも実施は可能である。図３は、Ｅｘｉｆ−ＪＰＥＧ３００のデータ構造を例示する概念図である。
【００４７】
ＳＯＩ３０１は、Ｅｘｉｆ−ＪＰＥＧ３００の開始を示すマーカである。ＡＰＰ１３０２は、Ｅｘｉｆ−ＪＰＥＧ３００のヘッダ部に相当するアプリケーションマーカである。３０３は、量子化テーブル（ＤＱＴ）、ハフマンテーブル（ＤＨＴ）、フレーム開始マーカ（ＳＯＦ）、スキャン開始マーカ（ＳＯＳ）で構成されるデータブロックである。Ｃｏｍｐｒｅｓｓｅｄ  Ｄａｔａ３０４は、本体画像の圧縮データである。ＥＯＩ３０５は、Ｅｘｉｆ−ＪＰＥＧ３００の終端を示すマーカである。
【００４８】
また、ＡＰＰ１３０２は、図３の３０６〜３１２で示したように構成される。３０６は、ＡＰＰ１３０２のサイズを示すＡＰＰ１  Ｌｅｎｇｔｈ、ＡＰＰ１３０２の識別コードを示すＥｘｉｆ  Ｉｄｅｎｔｉｆｉｅｒ  Ｃｏｄｅで構成されるデータブロックである。０ｔｈ  ＩＦＤ３０７は、圧縮された本体画像に関する付属情報を記録するデータブロックである。０ｔｈ  ＩＦＤ３０７の一部には、Ｅｘｉｆ  ＩＦＤ３０８とＧＰＳ  ＩＦＤ３１０のデータブロックが存在する。Ｅｘｉｆ  ＩＦＤ３０８は、Ｅｘｉｆバージョンに関するタグ、画像データの特性や構造に関するタグ、日時に関するタグ、また、シャッタースピードやレンズ焦点距離などが記録された撮影条件に関するタグなどで構成される。ＧＰＳ  ＩＦＤ３１０は、ＧＰＳ情報に関するタグで構成される。１ｓｔ  ＩＦＤ３１１は、サムネイル画像に関する付属情報を記録するデータブロックである。Ｔｈｕｍｂｎａｉｌ３１２は、サムネイルの画像データである。また、Ｅｘｉｆ  ＩＦＤ３０８には、ＭａｋｅｒＮｏｔｅ３０９のデータブロックが存在する。ＭａｋｅｒＮｏｔｅ３０９は、カメラメーカ固有の情報が記録されている。本実施の形態で用いる画像ファイルには、ＭａｋｅｒＮｏｔｅ３０９の中に通信制御情報３１３が記録されている。通信制御情報３１３の詳細については後述する。
【００４９】
［無線ＬＡＮ機能付き記録メディアが装着された場合のデジタルカメラの撮影処理手順について］
デジタルカメラ１００の１９９として無線ＬＡＮ機能付き記録メディアが装着された場合のデジタルカメラ１００の撮影処理について、図２を参照して説明する。
【００５０】
図２に示すように、Ｓ２０１のステップにおいて、中央制御部１０７はデジタルカメラ１００のモード切替スイッチ１１７の電源ボタンがユーザによって操作され、電源がＯＮされたか否かを検知する処理を行う。電源のＯＮを検知した場合は、デジタルカメラ１００の起動処理を行うためＳ２０２のステップに進む。そうでない場合は、電源ＯＮを検知するまで待ち続ける処理を行う。
【００５１】
Ｓ２０２のステップにおいて、中央制御部１０７は、デジタルカメラ１００の起動中の誤動作を防止するため、シャッターボタン１１８、１１９などの操作や通信部１２９からの入力など入力受付の禁止処理を行う。
【００５２】
Ｓ２０３のステップにおいて、中央制御部１０７は、デジタルカメラ１００に１９９が装着されているか否かを検知する処理を行う。１９９に記憶メディアが装着されている場合はＳ２０５のステップに進む。そうでない場合は、Ｓ２０４のステップに進む。
【００５３】
Ｓ２０４のステップにおいて、中央制御部１０７は、デジタルカメラ１００に１９９が装着されていない旨の警告を行う。警告の手段として、画像表示部１１２の表示が可能になった後、装着されていない旨のメッセージを表示するとしてもよいし、また、音声制御部１３５からスピーカ１３６に警告音を発してもよい。
【００５４】
Ｓ２０５のステップにおいて、中央制御部１０７は、被写体の合焦が行えるようデジタルカメラ１００の鏡筒駆動を行う処理を行う。
【００５５】
Ｓ２０６のステップにおいて、中央制御部１０７は、ＬＣＤモニタを表示する処理を行う。ＬＣＤモニタに当たる画像表示部１１２に、撮像したスルー画の表示を開始する。また、現在の撮影設定などの情報を表示する処理を行う。
【００５６】
Ｓ２０７のステップにおいて、中央制御部１０７は、入力受付を許可する処理を行う。この処理以降、シャッターボタン１１８、１１９などの操作や通信部１２９からの入力を受け付ける。
【００５７】
Ｓ２０８のステップにおいて、中央制御部１０７は、シャッターボタン（ＳＷ１）１１８が押下されたか否かを検出する処理を行う。ユーザ操作によってレリーズボタン（ＳＷ１）１１８が押下され、撮像動作が開始した場合はＳ２０９のステップに進む。そうでない場合は、レリーズボタン（ＳＷ１）１１８が押下されるまで待つ処理を行う。
【００５８】
Ｓ２０９のステップにおいて、中央制御部１０７は、デジタルカメラ１００の１９９に無線ＬＡＮ機能付き記録メディアが装着されているかを検出する処理を行う。無線ＬＡＮ機能付き記録メディアが装着されていることを検知した場合は、Ｓ２１０のステップに進む。そうでない場合は、Ｓ２１２のステップに進む。
【００５９】
Ｓ２１０のステップにおいて、中央制御部１０７は、１９９に装着された無線ＬＡＮ機能付き記録メディアの現在の通信状態を確認し、通信設定が有効であるか否かの判定を行う。通信設定が有効である場合、Ｓ２１１のステップに進む。通信設定が無効であった場合、Ｓ２１２のステップに進む。
【００６０】
Ｓ２１１のステップにおいて、中央制御部１０７は、無線ＬＡＮ機能付き記録メディアに対して、通信設定の無効を指示する処理を行う。指示を受けた無線ＬＡＮ機能付き記録メディアは、通信の無効処理を行う。
【００６１】
Ｓ２１２のステップにおいて、中央制御部１０７は、ＡＥ（オートエクスポージャー）／ＡＦ（オートフォーカス）の処理を行う。ＡＥ／ＡＦの処理については自明の技術であるため、詳細な説明は割愛する。
【００６２】
Ｓ２１３のステップにおいて、中央制御部１０７は、無線ＬＡＮ機能付き記録メディアの通信設定の無効処理が完了したか否かを検知する処理を行う。通信設定の向こう処理が完了した場合、Ｓ２１６のステップへ進む。通信設定の無効処理が完了すると、無線ＬＡＮ機能付き記録メディアと通信先との無線通信は切断され、画像ファイルの転送を行わなくなる。通信設定の無効処理の完了を検知できない場合は、Ｓ２１４のステップに進む。
【００６３】
Ｓ２１４のステップにおいて、中央制御部１０７は、無線ＬＡＮ機能付き記録メディアの通信設定の無効処理が完了したか否かの検知を始めてからの時間をカウントし、本実施形態で設定したスレッショルド値Ｍ秒を超過したか否かを検知する処理を行う。Ｍ秒を超過した場合、Ｓ２１５のステップに進む。そうでない場合、Ｓ２１３のステップに戻り、無線ＬＡＮ機能付き記録メディアの通信設定の無効処理が完了したか否かを検知する処理を行う。
【００６４】
Ｓ２１５のステップにおいて、中央制御部１０７は、通信制御不能の警告を表示する処理を行う。Ｓ２１４のステップにおいて、撮影動作中の一定期間内に無線ＬＡＮ機能付き記録メディアの通信設定の無効処理が行えなかった場合、制御失敗と判定し、その旨を示す文言を画像表示部１１２に表示する処理を行う。表示方法については後述する。
【００６５】
Ｓ２１６のステップにおいて、中央制御部１０７は、Ｓ２１２のステップの処理において処理したＡＦの結果を示すフォーカス枠の表示処理を行う。図４の（ａ）は、デジタルカメラ１００の画像表示部１１２に、Ｓ２１２のステップで示したフォーカス枠、並びにＳ２１４のステップにて示した警告メッセージが表示されているところを図示したものである。フォーカス枠は被写体上に表示され、画像表示部の下部に警告アイコンとともに無線設定の無効処理が失敗した旨のメッセージを表示している。当然ながら、Ｓ２１３のステップの処理にて通信設定の無効処理の完了を正常に検知できた場合は、メッセージは表示しない。なお、Ｓ２０８のステップにてシャッターボタン（ＳＷ２）１１９が一気に押下された場合は、フォーカス枠や警告メッセージの表示は行わなわず、Ｓ２１８のステップの撮像処理を続けて行う。
【００６６】
Ｓ２１７のステップにおいて、中央制御部１０７は、シャッターボタン（ＳＷ２）１１９が押下されたか否かを判定する処理を行う。シャッターボタン（ＳＷ２）１１９が押下されたと判定された場合は、Ｓ２１８のステップに進む。そうでない場合は、シャッターボタン（ＳＷ２）１１９が押下されるまで待つ処理を行う。なお、Ｓ２１３のステップの処理にて通信設定の無効処理の完了の検知が行えなく、ユーザが撮影行為をキャンセルしシャッターボタンの押下をやめた場合は、Ｓ２０８のステップに戻り、シャッターボタン（ＳＷ１）１１８の操作を待つ。
【００６７】
Ｓ２１８のステップにおいて、中央制御部１０７は、撮像する処理を行う。撮像の詳細については、図１で説明した通りであるため、ここでの説明は割愛する。
【００６８】
Ｓ２１９のステップにおいて、中央制御部１０７は、画像ファイルを保存する処理を行う。撮像データは、メモリ１１０に保存され、圧縮／伸張部１１１によって圧縮処理が施され、画像情報とともに１９９の記録部１３１に画像ファイルとして保存される。画像データに画像情報を付加する際、もし通信設定の無効処理の完了の検知が行えない状態のまま撮影行為が行われた場合は、Ｓ２１３のステップにおいて示した無線通信制御情報３１３に、その旨を画像情報として記録する。記録方法は、一例として、通信設定の無効処理が正常に行われている場合は０、そうでない場合は１とする。
【００６９】
また、通信設定の無効処理が行われていない状態で撮影した画像をデジタルカメラ１００で再生した場合、図４の（ｂ）に示すように表示される。画像表示部１１２に画像が再生表示されており、下部には、無線電波を停止できずに撮影した画像である旨のメッセージを表示している。
【００７０】
Ｓ２２０のステップにおいて、中央制御部１０７は、撮影処理が終了したか否か判定する処理を行う。１枚撮影の場合は、撮影処理が終了するためＳ２２１のステップに進む。連写撮影の場合は、Ｓ２１８のステップに戻り、再び撮像処理を行う。
【００７１】
Ｓ２２１のステップにおいて、中央制御部１０７は、シャッターボタン１１８、１１９が押下されないか否かを判定する処理を行う。シャッターボタン１１８、１１９の押下を検出しない場合はＳ２２２のステップに進む。シャッターボタン１１８、１１９の押下を検出する場合はＳ２１２のステップに戻り、ＡＥ／ＡＦの処理を行う。
【００７２】
Ｓ２２２のステップにおいて、中央制御部１０７は、Ｓ２２０のステップの撮影処理の終了を検知し始めてからの時間をカウントする処理を行い、本実施形態で設定したスレッショルド値Ｎ秒を超過したか否かを検知する処理を行う。一定の時間Ｎ秒を超過した場合、Ｓ２２３のステップに進む。そうでない場合、Ｓ２２１のステップに戻り、シャッターボタン１１８、１１９が押下されないか否かを判定する処理を行う。
【００７３】
Ｓ２２３のステップにおいて、中央制御部１０７は、デジタルカメラ１００の１９９に無線ＬＡＮ機能付き記録メディアが装着されているかを検出する処理を行う。無線ＬＡＮ機能付き記録メディアが装着されていることを検知した場合は、Ｓ２２４のステップに進む。そうでない場合は、処理を終了する。
【００７４】
Ｓ２２４のステップにおいて、中央制御部１０７は、１９９に装着された無線ＬＡＮ機能付き記録メディアの現在の通信状態を確認し、通信設定が無効であるか否かの判定を行う。通信設定が無効である場合、Ｓ２２５のステップに進む。通信設定が有効であった場合、処理を終了する。
【００７５】
Ｓ２２５のステップにおいて、中央制御部１０７は、無線ＬＡＮ機能付き記録メディアに対して、通信設定の有効を指示する処理を行う。指示を受けた無線ＬＡＮ機能付き記録メディアは、通信を有効にする処理を行う。このことにより、転送が再開される。
【００７６】
以上の処理をもって、無線ＬＡＮ機能付き記録メディアが装着された場合のデジタルカメラの撮影処理が完了する。
【００７７】
また、本発明は、以下の処理を実行することによっても実現される。即ち、上述した実施形態の機能を実現するソフトウェア（プログラム）を、ネットワーク又は各種を介してシステム或いは装置に供給し、そのシステム或いは装置のコンピュータ（またはＣＰＵやＭＰＵ等）がプログラムを読み出して実行する処理である。
【図１】
2011130036.tif 000003
【図２】
2011130036.tif 000004
【図３】
2011130036.tif 000005
【図４】
2011130036.tif 000006